(57)【要約】家具（１０）は、第１および第２の引き出しガイド（１３）によって家具の本体から引き出すことのできる少なくとも１つの引き出し（１２）等を備え、各ガイドは、引き出し（１２）用の閉鎖装置（１６）を有する。家具（１０）は、引き出し（１２）が家具の本体から離間する第１の閉鎖位置に引き出し（１２）を係止するように構成および配置される係止手段（２４’、２８）を更に備える。係止手段（２４’、２８）は、引き出し（１２）が家具（１０）により隣接する第２の閉鎖位置まで引き出し（１２）を閉鎖方向に押圧する圧力によって弾性的に湾曲するか、圧力により倒れる。引き出し（１２）を第２の閉鎖位置に解放可能にロックするように構成および配置されるロック手段（２４”、３０）が更に設けられ、ロック手段（２４”、３０）は、引き出し（１２）の牽引手段によってその開放方向に解放可能である。
2015534494.tif 000002
【特許請求の範囲】
【請求項１】
家具（１０）の本体に対して引き出し可能な少なくとも１つの引き出し（１２）等を含む家具（１０）であって、
第１および第２の側壁（１１）と、
各引き出し（１２）用の第１および第２の引き出しガイド（１３）であって、同引き出しガイド（１３）のそれぞれは、前記家具の対応する側壁（１１）に接続される固定ガイド部（１４）および前記引き出し（１２）に固定可能な可動ガイド部（１５）を有する、第１および第２の引き出しガイド（１３）と、
各引き出しガイド（１３）に関連付けられる、前記引き出し（１２）用の閉鎖装置（１６）であって、同閉鎖装置（１６）はそれぞれ、前記引き出しガイド（１３）の前記固定ガイド部（１４）および前記可動ガイド部（１５）の一方に接続される基体（１７）を含み、同基体（１７）は、前記引き出しガイド（１３）の前記固定ガイド部（１４）および前記可動ガイド部（１５）のうちの他方と作動的に係合可能であるとともに弾性手段（２１）によって前記引き出し（１２）の閉鎖方向に応力を作用されるスライダ（１９）用の摺動トラック（１８）を有する、閉鎖装置（１６）とを備え、前記家具（１０）は、
前記引き出し（１２）が前記家具の前記本体から予め設定された距離だけ離間する第１の閉鎖位置に前記引き出し（１２）を係止するように構成および配置される係止手段（２４’、２８）であって、同係止手段（２４’、２８）は、前記引き出し（１２）が前記家具の前記本体により隣接する第２の閉鎖位置まで前記引き出し（１２）を閉鎖方向に押圧する圧力によって弾性的に湾曲するか、圧力により倒されるか少なくともいずれかである、係止手段（２４’、２８）と、
前記第２の閉鎖位置において解放可能に前記引き出し（１２）をロックするように構成および配置されるロック手段（２４”，３０）であって、同ロック手段（２４”，３０）は、前記引き出しをその開放方向に張引することにより解放可能であるとともに前記第１の閉鎖位置から前記第２の閉鎖位置に前記引き出しを移動させる閉鎖方向の引き出しの圧力により選択的に操作可能である、ロック手段（２４”，３０）とを備えることを特徴とする家具（１０）。
【請求項２】
前記係止手段（２４’、２８）およびロック手段（２４”、３０）はそれぞれ、前記閉鎖装置（１６）の前記スライダ（１９）、好ましくは、前記スライダ（１９）から突出するピン（１９’）を係止するとともにロックするように構成および配置されることを特徴とする請求項１に記載の家具（１０）。
【請求項３】
前記係止手段（２４’）および前記ロック手段（２４”）は、前記スライダ（１９）用の前記摺動トラック（１８）の対向する長手端縁から互いに横断方向に対向して突出するとともに該摺動トラック（１８）の後端に配置される第１および第２の突出要素（２４）の前側および後側にそれぞれ前記後端から離間した位置に形成されることを特徴とする請求項１または２に記載の家具（１０）。
【請求項４】
前記突出要素（２４）はそれぞれ互いに一点に収束する第１の前方傾斜面（２４’）および第２の後方傾斜面（２４”）を有する三角形の区域を有し、それぞれ前記閉鎖装置（１６）の前記スライダ（１９）用の前記係止手段（２４’）および前記ロック手段（２４”）を形成することを特徴とする請求項３に記載の家具（１０）。
【請求項５】
前記摺動トラック（１８）は、前記突出要素（２４）の後方に延びることを特徴とする請求項３または４に記載の家具（１０）。
【請求項６】
前記引き出し（１２）用の前記閉鎖装置（１６）は、前記係止手段（２４’、２８）および前記ロック手段（２４”、３０）と一体的に、あるいは別体として、前記家具の前記側壁（１１）に、または引き出し（１２）に取り付け可能に構成されることを特徴とする請求項１に記載の家具（１０）。
【請求項７】
前記係止手段（２４’、２８）および前記ロック手段（２４”、３０）は、家具に取り付け可能な付加的な要素の形態に構成されることを特徴とする請求項１に記載の家具（１０）。
【請求項８】
前記係止手段（２４’）および前記ロック手段（２４”）は、前記閉鎖装置（１６）の前記基体（１７）と一体的に形成されることを特徴とする請求項１乃至７のうちのいずれか一項に記載の家具（１０）。
【請求項９】
前記係止手段（２４’）および前記ロック手段（２４”）は、別体（２５）を搭載するように構成される前記閉鎖装置（１６）の基体（１７）に取り付け可能な前記別体（２５）に形成されることを特徴とする請求項１乃至７のうちのいずれか一項に記載の家具（１０）。
【請求項１０】
前記摺動トラック（１８）の後端における前記閉鎖装置（１６）の前記基体（１７）は、補足的な固定手段および前記別体（２５）の一部分のうちの少なくともいずれか一方に連結可能な固定手段を備えることを特徴とする請求項９に記載の家具（１０）。
【請求項１１】
前記係止手段は、前記第１の閉鎖位置で前記引き出し（１２）を係止するように構成および配置される、弾性的に容易に湾曲する要素（２８）から形成され、前記ロック手段は磁気式であることを特徴とする請求項１に記載の家具（１０）。
【請求項１２】
前記磁気式の前記ロック手段は、前記引き出し（１２）の前記第２の閉鎖位置で前記スライダ（１９）の強磁性体のピン（１９’）をロックするために前記摺動トラック（１８）の前記後端に配置される永久磁石（３０）を備えることを特徴とする請求項１１に記載の家具（１０）。
【請求項１３】
前記閉鎖装置（１６）は、前記引き出しガイド（１３）の前記固定ガイド部（１４）および前記可動ガイド部（１５）のうちの一方に接続される線形の流体減速器（２２）をさらに有し、同線形の減速機（２２）は、前記スライダ（１９）によって、あるいは前記引き出しガイド（１３）の部分の前記固定ガイド部（１４）および前記可動ガイド部（１５）のうちの他方と一体的な対向要素によって作動可能であることを特徴とする請求項１乃至１２のうちのいずれか一項に記載の家具（１０）。
【請求項１４】
前記閉鎖装置（１６）の前記基体（１７）は、前記引き出しガイド（１３）の前記固定ガイド部（１４）に固定され、該スライダ（１９）は、一体的に形成されるピン（２０）により前記引き出しガイド（１３）の前記可動ガイド部（１５）と作動的に係合可能であることを特徴とする請求項１乃至５あるいは請求項７乃至１３のうちのいずれか一項に記載の家具（１０）。
【請求項１５】
前記線形の減速器（２２）は、空気式又は油圧式であり、前記閉鎖装置（１６）の基体（１７）の端に固定される筒状体（２３）を備え、同筒状体（２３）は、前記閉鎖装置（１６）の前記スライダ（１９）に関節接合により連結されるロッドを有するピストン用の室を形成することを特徴とする請求項１３または１４に記載の家具（１０）。
【請求項１６】
前記スライダ（１９）用の前記摺動トラック（１８）は、前記引き出しが引き出される長手方向に延びる直線的な第１の区域（１８’）、および前記引き出し（１２）の前面（１２’）に面する前端で該第１の区域（１８’）から分岐する第２の横断区域（１８”）を備えることを特徴とする請求項１４または１５に記載の家具（１０）。
【発明の詳細な説明】
【技術分野】
【０００１】
本発明は、少なくとも１つの引き出し等を備えた家具に関する。より詳細には、本発明は、例えば通常車両および輸送手段用の、引き出しが望ましくなく開放されることを防止するための引き出し用の閉鎖手段およびロック手段を備える家具に関する。
【背景技術】
【０００２】
家具の分野において、家具が望ましくない引き出しの開放が生じ得る規模の運動および振動にさらされ、車両の搭乗者に対する事故や、引き出し自体の破損、また、引き出し内に含まれる物体の落下の危険性を有する、例えばキャンピングカー、トレーラーハウス、船舶のような車両等の分野において使用される引き出しを備えた家具の製造は周知である。
【０００３】
この課題を解決するために、閉鎖位置において解放可能に引き出しをロックするように好適に構成されるロック手段の取り付けのための様々な提案がなされている。
特に、引き出しに接合されると、減速装置の使用による衝撃を与えることなく引き出しを完全な閉鎖位置に徐々に移動させるように構成される現在「自動閉鎖」装置と呼ばれる閉鎖装置を備えた引き出しガイドを有する引き出しを含む家具の分野において、引き出しの一部分、例えば前面を、家具の本体や引き出しガイドの固定部に固定するための１つ以上のフック要素を有する別体のロック装置の応用が周知である。この解決策において、フック要素は、通常、例えば引き出しの前面に設けられるボタンやノブ等の好適な制御の手動操作手段によって解放可能である。
【０００４】
しかしながら、これらの別体のロック装置は、これらを家具に取り付けるための付加的な機械加工を要求し、また、上述したロック解除の制御の存在により、引き出しの前面に対する美的な変形を示唆するものである。
【０００５】
少なくとも１つのエキスペラと好適に構成された解放可能なロック手段とを備える現在「押圧」タイプと呼ばれる装置が引き出しを開放するために設けられる、ハンドルや同様の把持手段のない引き出しを有する家具の異なる特定の分野もある。この場合において、引き出しを開放するために、操作する者は、閉鎖した引き出しを若干押圧する必要があり、これにより、係止手段が解放される。係止手段が解放されると、エキスペラにより、操作する者が引き出しを把持し続いて引き出しを完全に解放するのに十分な第１の区域分だけ引き出しの開放方向への運動が生じる。
【０００６】
一方、再び引き出しを閉鎖するために、操作する者は、エキスペラに再び負荷が作用されロック手段を再び連結するように、引き出しが完全な閉鎖位置に至るまで手動により強制的に引き出しを押圧する必要がある。
【０００７】
しかしながらこれらの家具に設けられる「押圧」タイプのロック手段は、エキスペラが引き出しの開放又は閉鎖運動の一部の間に再び負荷を作用されるより複雑な解決策が無い限り、その所定の構成により、上述した「自動閉鎖」タイプの装置を備えた引き出しガイドを有する引き出しを備えた家具における使用において好適なものではない。
【０００８】
従って、「自動閉鎖」タイプの引き出しガイドが引き出し用に設けられる、車両および輸送手段用の少なくとも１つの引き出し等を備えた家具に対する要求があり、これにより、輸送手段が静止している際の自動的な開放および閉鎖の通常の使用が可能となり、また、輸送手段が移動する際の上述した課題を解決可能なロック手段が設けられる。
【０００９】
特許文献１は、引き出しが閉鎖位置に至る際のガイドの反動を防止するためのみの係止部を備えた自動閉鎖装置を開示する。
【先行技術文献】
【特許文献】
【００１０】
【特許文献１】米国特許出願公開第２００６／８２２６６号
【発明の概要】
【発明が解決しようとする課題】
【００１１】
従って、本発明は、車両および輸送手段用の少なくとも１つの引き出し等を備えた家具を提供することを課題とする。家具において、「自動閉鎖」タイプの引き出しガイドが引き出し用に設けられ、また、ロック手段が設けられる。ロック手段は、このタイプの応用に好適であり、選択により、あるいは必要に応じて作動可能である。ロック手段により、家具に付加的な機械加工を施すことは要求されない。それと同時に、構造が大きく単純化され、コストが低減される。
【課題を解決するための手段】
【００１２】
上記課題は、家具の本体に対して引き出し可能な少なくとも１つの引き出し等を備える家具によって解決される。家具は、第１および第２の側壁と、各引き出し用の第１および第２の引き出しガイドであって、各引き出しガイドは家具の両側に接続される固定ガイド部、および引き出しに固定可能な移動可能なガイド部を有する、第１および第２の引き出しガイドと、各引き出しガイドに関連付けられる、引き出し用の閉鎖装置であって、閉鎖装置はそれぞれ、引き出しガイドの固定ガイド部および可動ガイド部の一方に接続される基体を含み、同基体は、引き出しガイドの固定ガイド部および可動ガイド部のうちの他方と作動的に係合可能であるとともに弾性手段によって引き出しの閉鎖方向に応力を作用される、スライダ用の摺動トラックを有する、閉鎖装置とを備える。家具は、引き出しが家具の本体から予め設定された距離だけ離間する第１の閉鎖位置に引き出しを係止するように構成および配置される係止手段であって、同係止手段は、引き出しが家具の本体により隣接する第２の閉鎖位置まで引き出しを閉鎖方向に押圧する圧力によって弾性的に湾曲するか、圧力により倒されるか少なくともいずれかである、係止手段と、第２の閉鎖位置において解放可能に引き出しをロックするように構成および配置されるロック手段であって、同ロック手段は、引き出しをその開放方向に張引することにより解放可能であるとともに第１の閉鎖位置から第２の閉鎖位置に引き出しを移動させる閉鎖方向の引き出しの圧力により選択的に操作可能である、ロック手段とを備えることを特徴とする。
【００１３】
本発明の更なる特徴は、添付の特許請求の範囲において更に定義される。
【図面の簡単な説明】
【００１４】
【図１】家具の本体から短距離だけ離間するように配置される第１の閉鎖位置における引き出しを備えた、本発明による家具を示す側面図。
【図２】引き出しが家具の本体により隣接する第２の閉鎖位置における引き出しを備えた、図１の家具を示す側面図。
【図３】本発明の第１の実施形態による係止手段およびロック手段を示す、図１の家具を示す部分平面図。
【図４】引き出しの第１の閉鎖位置における、図３の係止手段およびロック手段を備える引き出し用の閉鎖装置を示す平面図。
【図４Ａ】図４の係止手段およびロック手段を示す部分拡大図。
【図５】引き出しの第２の閉鎖位置における、図３の係止手段およびロック手段を備える引き出し用の閉鎖装置を示す平面図。
【図５Ａ】図５の係止手段およびロック手段を示す部分拡大図。
【図６】本発明による係止手段およびロック手段を備える別体を搭載するように構成された、図３の閉鎖装置の変形を示す平面図。
【図７】図６の装置に取り付け可能な、本発明による係止手段およびロック手段を備える別体を示す斜視図。
【図８】図７の係止手段およびロック手段を備える別体が取り付けられる、図６の閉鎖装置を示す平面図。
【図９】引き出しの第１の閉鎖位置における、本発明の更なる実施形態による係止手段およびロック手段を備える引き出し用の閉鎖装置を示す平面図。
【図９Ａ】図９の係止手段およびロック手段を示す部分拡大図。
【図１０】引き出しの第２の閉鎖位置における、図９の係止手段およびロック手段を備える引き出し用の閉鎖装置を示す平面図。
【図１０Ａ】図１０の係止手段およびロック手段を示す部分拡大図。
【発明を実施するための形態】
【００１５】
本発明の特徴および効果は、添付の図面を参照して、引き出し等を備える家具の好適であるが排他的なものではない後述する実施形態からより明らかにされるであろう。
図１乃至３に本発明の第１の実施形態による引き出し等を備えた家具１０を示す。家具１０は、第１および第２の側壁１１を含む本体を備え、側壁１１のうち１つの側壁１１のみを図示する。両側壁１１は、引き出し１２の両側に配置され、それぞれ引き出し１２用の第１および第２の引き出しガイド１３を備える。図３に引き出しガイド１３のうち１つのみを示す。明瞭に示すべく、引き出し１２を透明に点線で示し、これにより、後述する本発明による閉鎖装置および係止手段およびロック手段を備えたガイド１３を視認可能とする。
【００１６】
各引き出しガイド１３は、家具の対応する側壁１１に接続される固定ガイド部１４、引き出し１２に固定可能な可動ガイド部１５、所望により、引き出しを完全に引き出させる場合に引き出しの引き出し方向に延びる図示しない中間部を備える。家具１０は、各引き出しガイド１３に取り付けられるか関連付けられる、引き出し１２用の閉鎖装置１６を更に含む。図４および図５によりよく示すように、閉鎖装置１６はそれぞれ、ガイド１３の固定ガイド部１４および可動ガイド部１５のうちの一方に直接又は間接的に固定又は接続される基体１７を備える。図示の例では基体１７は、固定ガイド部１４に固定又は接続される。基体１７は、ガイド１３の固定ガイド部１４および可動ガイド部１５のうちの他方に作動的に係合可能なスライダ１９用の摺動トラック１８を有する。図示の例では、スライダ１９は、可動ガイド部１５と一体的なピン２０により可動ガイド部１５に作動的に係合する。
【００１７】
後述するように、スライダ１９は、例えば牽引ばね２１の形態の弾性手段によって引き出し１２の閉鎖方向に応力を作用される。
閉鎖装置１６は、引き出しガイド１３の固定ガイド部１４および可動ガイド部１５の一方に直接又は間接的に固定又は接続される線形の流体減速器２２を更に備える。後述するように、減速機２２は、スライダ１９によって、あるいは引き出しガイド１３の固定ガイド部１４および可動ガイド部１５のうちの他方と一体的な対向要素によって操作可能である。
【００１８】
好ましくは、線形減速器２２は、例えば空気式又は油圧式であり、閉鎖装置１６の基体１７の端部に固定される筒状体２３を備える。筒状体２３は図示しないピストンの室を形成する。ピストンのロッドは、応力を作用されるか、例えば閉鎖装置１６のスライダ１９に関節接合により連結されるように接続され、これによりスライダ１９自体をピストンロッドに対して往復動させる。
【００１９】
実際、引き出しガイド１３の可動ガイド部１５と一体的なピン２０とのスライダ１９の選択的な係合および分離のために、スライダ１９用の摺動トラック１８は、引き出しが引き出される長手方向に延びる第１の直線的な区域１８’、および引き出し１２の前面１２’に面する前端で第１の区域１８’から分岐する第２の横断区域１８”を含む。第１の直線的な区域１８’において、スライダ１９は、ピン２０と係合し、引き出し１２を閉鎖する。第２の横断区域１８”において、スライダ１９は、往復動によりピン２０を解放し、これにより、操作する者による引き出しの開放運動を完了させる。
【００２０】
ばね２１は延び、家具に固定された一部分、例えば減速器の筒状体２３の後端とスライダ１９との間に、予め負荷を作用された状態で固定される。
本発明によれば、家具１０は、図１、図４、および図４Ａに示す、引き出し１２が家具の本体１１から予め設定された距離だけ、例えば２乃至４ｍｍだけ離間する第１の閉鎖位置に引き出し１２を係止するように構成および配置される係止手段２４’を更に備える。係止手段２４’は、図２、図３、図５、および図５Ａに示す、引き出し１２が家具の本体により隣接する第２の閉鎖位置まで引き出し１２を閉鎖方向に押圧する圧力によって弾性的に湾曲するか、圧力により倒される。
【００２１】
更に、本発明による家具１０は、引き出し１２を上述した第２の閉鎖位置に解放可能にロックするように構成および配置されるロック手段を２４”を含み、ロック手段２４”は、引き出し１２の牽引手段によってその開放方向に解放可能である。
【００２２】
図３乃至５Ａに示す第１の好ましい実施形態において、係止手段２４’およびロック手段２４”は、それぞれスライダ１９を、具体的にはスライダ１９から突出するピン１９’を上述した２箇所の閉鎖位置に係止するとともにロックするように構成および配置され、これにより、スライダ１９と一体的な引き出し１２をこれらの閉鎖位置に係止するとともにロックする。
【００２３】
本実施形態において、係止手段２４’およびロック手段２４”は、スライダ１９用の摺動トラック１８の後端における摺動トラック１８の長手方向の対向する縁から互いに対して横断方向に突出する第１および第２の突出要素又は歯２４の前側および後側にそれぞれその後端から離間した位置に長手方向に離間するように形成される。
【００２４】
好適に、突出要素２４はそれぞれ互いに一点に収束する第１の前方傾斜面２４’および第２の後方傾斜面２４”を有する三角形の区域を有し、これらはそれぞれピン２０用の、すなわち一体的に形成される引き出し１２用の係止手段２４’およびロック手段２４”を形成する。
【００２５】
本発明による家具１０の作動を後述する。引き出し１２の開放から開始して、引き出し１２の閉鎖を要求する操作する者は、ロック手段２４”を閉鎖方向に強制的に移動させる。このように、引き出し１２が第１の閉鎖位置に接近すると、例えば、第１の閉鎖位置から約５ｃｍの距離まで接近すると、引き出し１２の両側の可動ガイド部１５と一体的なピン２０は、対応するスライダ１９と係合し、これにより、要求に応じてスライダ１９を往復動させ、摺動トラック１８の第２の横断区域１８”からスライダ１９を外す。
【００２６】
この時点において、スライダ１９は、長手方向に自由に移動することができ、これにより、スライダ１９と一体的なピン１９’がスライダ１９用の摺動トラック１８に沿って突出する突出要素２４の係止面２４’と接触する際に引き出し１２が第１の閉鎖位置において静止するまで、ばねの牽引作用下において、引き出し１２は閉鎖位置まで流体減速器２２によって好適に減速され移動する。
【００２７】
この位置において、操作する者は引き出し１２を容易に再び開放することができ、従って、作動は従来技術から周知の減速閉鎖装置を備えた引き出しと完全に類似する。
本発明によれば、例えば家具が搭載される車両や輸送手段の運動中に生じる力のような外部作用による引き出し１２の偶発的な開放を防止する要求がある場合に、操作する者は、引き出し１２が家具の本体１１により近接する第２の閉鎖位置に移動するまでスライダ１９と一体的なピン１９’によって係止面２４’を形成する突出要素２４を湾曲させるとともにこれにより倒すように、引き出し１２の前面１２’に押圧力を作用させる必要がある。
【００２８】
ピン１９’が突出要素２４の後方に設けられるロック面２４”によって保持されるこの位置において、ピン１９’が突出要素２４の前方に再び移動するとともにこれにより引き出し１２が通常の開放作動が可能なように、突出要素２４の弾性的な湾曲によりロック面２５”からピン１９’を開放するために、操作する者が引き出し１２の開放方向に引き出し１２に牽引作用を作用させるまで、引き出し１２はロックした状態を保持する。
【００２９】
突出要素２４の弾性的な湾曲は、主にスライダ１９による摺動トラック１８の長手端縁の変形又は伸長により生じ、そのような伸長を促進するために、摺動トラック１８は、所定の区域における突出要素２４の後方に延びる。
【００３０】
三角形の区域に代えて、突出要素２４は、スライダやその一部分における前方係止面および後方係止面を形成するために好適な任意の他の形状、例えば丸みを帯びた形状を有する。
【００３１】
更に、本発明によれば、引き出し１２用の閉鎖装置１６が異なる構造体を有してもよいことや、閉鎖装置１６が、係止手段およびロック手段と一体的に、あるいは係止手段およびロック手段とは別体として、家具の側壁１１や引き出し１２に取り付けられてもよいものといえる。
【００３２】
更に、係止手段とロック手段は、これに代えて、家具に取り付け可能な、特に、家具の側壁１１と引き出し１２との間に取り付け可能な付加的な要素の形態に構成することができ、これにより、例えば、その作動の特徴および形態を妨害することなく、係止手段および側壁と一体的な対応するロック手段によって係止およびロック可能な引き出しと一体的な要素が提供される。図６乃至８に、図３および図４の閉鎖装置の変形を示す。図において同じ参照符号は同様又は等価な部分を示すために使用されている。変形において、係止手段およびロック手段は、図３および図４の装置のように基体１７と一体的には形成されていないが、別体２５を搭載するように好適に構成される装置の基体１７に取り付け可能な平坦なフォークの形態で別体２５に形成される。
【００３３】
特に、周知のタイプの閉鎖装置の基体１７に対して、摺動トラック１８の後端に好適な固定手段が設けられる必要があり、例えば、係合ハウジング２６および／又は歯２７を備えるとともに補完的な固定手段および／または別体２５の一部分と連結可能なスナップ式の固定手段が設けられる。
【００３４】
この変形は、製造およびコストの点において効果を示す。その理由として、家具の要求される使用形式および作動に応じて係止手段およびロック手段を有する別体２５が取り付けられるか、取り付けられない単一の基体１７が押圧されることが挙げられる。
【００３５】
図９乃至１０Ａに、本発明の更なる実施形態による係止手段およびロック手段を備えた、引き出し用の閉鎖装置を示す。同様又は等価な部分を示すために同じ参照符号が使用されている。
【００３６】
本実施形態において、係止手段は、スライダ１９用の摺動トラック１８内に突出する弾性的に容易に湾曲する歯２８から構成される。歯２８は、トラック１８の後端の近傍の一方の側に配置される。
【００３７】
この歯２８は、上記実施形態の係止と同様に、第１の閉鎖位置でスライダ１９と一体的なピン１９’、およびこれにより引き出し１２を係止するように構成および配置される。
しかしながら、ロック手段は、この場合磁気式であり、例えば、操作する者が引き出しの前面１２’を押圧することによりピン１９’によって弾性を備えた歯２８を倒した際に引き出し１２の第２の閉鎖位置でスライダ１９の好適に強磁性体で形成されるピン１９’をロックするための、摺動トラック１８の後端に配置される永久磁石３０を備える。
【００３８】
家具の作動については、第１の実施形態に関する上述した開示を参照のこと。
上記から明らかなように、本発明による係止手段およびロック手段の好適な構成および配置により、引き出し用の「自動閉鎖」タイプの引き出しガイドへの接続に好適であり、例えば車両および輸送手段における家具の使用の例において、家具の付加的な加工を要することなく単純な構成且つ安価で容易に組み立てられる解決策により、引き出しの望ましくない開放が回避される。
【００３９】
しかしながら、本発明による引き出しを備えた家具は、本発明の概念の範囲内にある変更および変化に従い、更に、細部構造は技術的に均等な要素によって代替可能である。
【図１】
2015534494.tif 000003
【図２】
2015534494.tif 000004
【図３】
2015534494.tif 000005
【図４−４Ａ】
2015534494.tif 000006
【図５−５Ａ】
2015534494.tif 000007
【図６】
2015534494.tif 000008
【図７】
2015534494.tif 000009
【図８】
2015534494.tif 000010
【図９−９Ａ】
2015534494.tif 000011
【図１０−１０Ａ】
2015534494.tif 000012
【国際調査報告】
2015534494.tif 000013
2015534494.tif 000014
2015534494.tif 000015